【事件の表示】
　特願２０１２−２６４２２０「写真シール機、写真シール機の処理方法、並びにプログラム」拒絶査定不服審判事件〔平成２５年１１月　７日出願公開、特開２０１３−２２９８４８〕について、次のとおり審決する。
【結　論】
　本件審判の請求は、成り立たない。
【理　由】
第１　手続の経緯
　本願は、平成２４年４月２５日を出願日とする特願２０１２−９９８６７号の特許出願の一部を、平成２４年１２月３日に分割出願した特願２０１２−２６４２２０号であって、手続の概要は以下のとおりである。 
　
拒絶理由通知　　　　　　：平成２５年１０月１０日（起案日）
手続補正　　　　　　　　：平成２５年１２月１３日
拒絶査定　　　　　　　　：平成２６年　１月　７日（起案日）
拒絶査定不服審判請求　　：平成２６年　４月　４日
手続補正　　　　　　　　：平成２６年　４月　４日
拒絶理由（当審・最初）　：平成２７年　２月１７日（起案日）
手続補正　　　　　　　　：平成２７年　４月１４日
　
第２　本願発明
　本願の請求項６に係る発明（以下、「本願発明」という。）は、平成２７年４月１４日付けの手続補正書により補正された特許請求の範囲の請求項６に記載された事項により特定される、以下のとおりのものである。
　
　　【請求項６】
　利用者を撮影する撮影部を備える写真シール機の処理方法において、
　前記撮影部による撮影の結果、得られる複数の撮影画像を表示する第１の領域と、２つ以上の複数の種類の画像処理を施す指示を出すための領域であり、かつ、少なくとも２つ以上の選択をさせるための領域であり、前記画像処理毎に複数のボタンを表示する第２の領域を含む画面を前記利用者に提示し、
　前記第２の領域内のボタンが操作される毎に、指示された変更に係わる画像処理を、前記第１の領域に表示されている複数の撮影画像のうち、画像処理を施すとして選択されている１枚の撮影画像のみに施し、
　前記第１の領域内の前記選択されている１枚の撮影画像を、前記変更処理部により変更が施された変更後の撮影画像に切り換える表示を制御し、
　変更が施された前記撮影画像を所定のシール紙に印刷し、印刷された前記シール紙を排出し、写真シールとして前記利用者に提供する
　ステップを含む写真シール機の処理方法。
　
第３　刊行物の記載事項
（１）刊行物１の記載
　当審における拒絶の理由の通知において引用された特許４９１９１３１号公報（以下、「刊行物１」という。）には、図面と共に以下の事項が記載されている。
　
【０００１】
  本発明は、画像提供装置および方法、並びにプログラムに関し、特に、利用者にとってより満足度の高い画像を提供することができるようにする画像提供装置および方法、並びにプログラムに関する。
【背景技術】
【０００２】
  利用者を撮影し、撮影画像に対して利用者に編集を行わせ、編集後の画像をシール紙に印刷して提供する写真シール機が知られている。このような写真シール機は娯楽（遊戯）施設等に設置される。
【０００３】
  写真シール機によって提供される１ゲームの流れは、通常、撮影空間内にいる利用者を被写体として撮影し、利用者を編集空間に移動させ、編集空間内で行われる操作に従って画像を編集し、編集後の画像である編集済み画像をシール紙に印刷して排出するという流れになる。
　
【０１１３】
［写真シール作成装置の動作］
  次に、図１２のフローチャートを参照して、写真シール作成ゲームを提供する写真シール作成装置１の処理について説明する。
【０１１４】
  ステップＳ１において、写真シール作成装置１の制御部２０１の撮影処理部３０２は、所定の金額分の硬貨が投入されたか否かを硬貨処理部２２１から供給される信号に基づいて判定し、投入されたと判定するまで待機する。
【０１１５】
  硬貨が投入されたとステップＳ１において判定した場合、ステップＳ２において、撮影処理部３０２は、撮影部２０８を制御し、カメラ９１に取り込まれた被写体の動画像をタッチパネルモニタ９３にライブビュー表示させ、撮影空間Ａ１にいる利用者を被写体として撮影する撮影処理を行う。なお、撮影処理については、図１３乃至図１５のフローチャートを参照して後述する。
【０１１６】
  ステップＳ３において、撮影処理部３０２は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９３に画面を表示させることによって、または音声をスピーカ２２４から出力させることによって行われる。
【０１１７】
  ステップＳ４において、編集処理部３０３は、編集空間Ａ２−１と編集空間Ａ２−２のうち、撮影処理を終えた利用者の移動先とした方の編集空間に対応する編集部２０９を制御し、編集処理を行う。具体的には、編集処理部３０３は、編集対象画像として選択された撮影画像に合成する合成用画像を利用者に選択させ、選択された合成用画像を撮影画像に合成させ、得られた合成画像に対して、利用者による編集操作に従って編集を行う。なお、編集処理については、図３０のフローチャートを参照して後述する。
【０１１８】
  ステップＳ５において、編集処理部３０３は、編集空間Ａ２−１または編集空間Ａ２−２で編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１１９】
  ステップＳ６において、印刷処理部３０４は、利用者により選択された画像をプリンタ２４１に出力してシール紙に印刷させる印刷処理を行う。
【０１２０】
  ステップＳ７において、事後接客処理部３０５は、事後接客部２１０を制御し、印刷終了待機中の利用者に対する事後接客処理を行う。具体的には、事後接客処理部３０５は、撮影画像や編集済みの画像を携帯端末に送信する携帯送信ゲーム処理を事後接客処理として行い、携帯端末の電子メールアドレスの入力画面や、送信する画像の選択画面をタブレット内蔵モニタ１６１に表示させ、利用者による操作に応じて画像を送信する。
【０１２１】
  印刷が終了すると、ステップＳ８において、事後接客処理部３０５は、印刷が終了した旨をタブレット内蔵モニタ１６１に表示させ、プリンタ２４１は、画像が印刷されたシール紙をシール紙排出口１６４に排出し、処理を終了させる。
【０１２２】
［撮影処理の例］
  次に、図１３乃至図１５のフローチャートを参照して、上述した写真シール作成ゲームの一連の処理におけるステップＳ２の撮影処理の流れの例を説明する。
　
【０１５３】
  図１５のステップＳ５５において、明るさ決定処理部３１８は、撮影画像に写る被写体の明るさの選択に用いられる明るさ選択画面をタッチパネルモニタ９３に表示させる。
【０１５４】
  図２１は、利用者自身が写されている撮影画像を使用して、被写体の明るさを選択するのに用いられる明るさ選択画面の例を示す図である。
【０１５５】
  明るさ選択画面には、本撮影処理によって得られた撮影画像４７１が表示される。例えば、撮影を６回行ったときには、６枚の撮影画像が得られており、明るさ選択画面では、６枚の撮影画像４７１−１乃至４７１−６が、画面の中央から左側に表示される。なお、明るさ選択画面に表示される撮影画像４７１−１乃至４７１−６は、撮影されたままの画像である。
【０１５６】
  明るさ選択画面の右側には、５つの明るさ選択ボタン４７２−１乃至４７２−５が上から順に表示される。明るさ選択ボタン４７２−１乃至４７２−５には、「１」から「５」までの数値がそれぞれ表示されているとともに、明るさの異なるモデルがそれぞれ表示されている。
【０１５７】
  明るさ選択ボタン４７２−１乃至４７２−５の「１」から「５」までの数値は、明るさの程度を示しており、数値が大きくなるほど被写体が暗い色合いとなる。
【０１５８】
  また、明るさ選択ボタン４７２−１乃至４７２−５の右方には、上から下に向かって順に、「美白」、「おすすめ」、および「美黒」という文字が表示されている。つまり、明るさ選択ボタン４７２−１乃至４７２−５の並びにおいて、上側が被写体を明るくし、下側が被写体を暗くすることを示唆している。
【０１５９】
  また、明るさ選択画面の右下側には、被写体の明るさを決定するときに操作される決定ボタン４７３が表示されており、決定ボタン４７３には、「決定」という文字が表示されている。
【０１６０】
  このような明るさ選択画面がタッチパネルモニタ９３に表示され、利用者が、明るさ選択ボタン４７２−１乃至４７２−５のいずれかを選択すると、明るさ決定処理部３１８は、利用者による選択を受け付ける。そして、明るさ決定処理部３１８は、利用者により選択された明るさで被写体が写されている画像になるように、撮影画像４７１−１乃至４７１−６の被写体の明るさを一括して変更する画像処理を行う。
【０１６１】
  そして、利用者が、被写体の明るさの選択を行った後に決定ボタン４７３を選択すると、その時点で撮影画像４７１−１乃至４７１−６に反映されていた明るさで、被写体の明るさの選択が決定される。
【０１６２】
  図１５のフローチャートに戻り、ステップＳ５６において、利用者が、明るさ選択画面の明るさ選択ボタン４７２−１乃至４７２−５のいずれかに対する操作（タッチ）を行って被写体の明るさを選択すると、明るさ決定処理部３１８は、タッチパネルモニタ９３から供給された情報に基づいて、利用者による選択を受け付ける。
【０１６３】
  ステップＳ５７において、明るさ決定処理部３１８は、利用者により選択された明るさの被写体になるように、全ての撮影画像４７１−１乃至４７１−６の被写体の明るさを一括して変更する。
【０１６４】
  ステップＳ５８において、明るさ決定処理部３１８は、被写体の明るさを変更した撮影画像４７１−１乃至４７１−６をタッチパネルモニタ９３に表示し、明るさの変更結果を利用者に確認させる。
【０１６５】
  ステップＳ５９において、明るさ決定処理部３１８は、決定ボタン４７３が押されたか否かをタッチパネルモニタ９３から供給された情報に基づいて判定し、押されていないと判定した場合、ステップＳ５６に戻り、以上の処理を繰り返す。
【０１６６】
  一方、決定ボタンが押されたとステップＳ５９において判定した場合、ステップＳ６０において、明るさ決定処理部３１８は、被写体の明るさを決定し、決定した明るさを表す情報を記憶部２０２などに記憶させて保存する。
【０１６７】
  ステップＳ６１において、目サイズ決定処理部３１９は、撮影画像に写る利用者の目のサイズの選択に用いられる目サイズ選択画面を、タッチパネルモニタ９３に表示させる。
【０１６８】
  図２２は、利用者自身が写されている撮影画像を使用して、被写体の目のサイズを選択するのに用いられる目サイズ選択画面の例を示す図である。
【０１６９】
  目サイズ選択画面には、撮影処理によって得られた撮影画像４８１が表示される。例えば、撮影を６回繰り返し行ったときには、６枚の撮影画像が得られており、目サイズ選択画面では、６枚の撮影画像４８１−１乃至４８１−６が、画面の中央から左側に表示される。
【０１７０】
  目サイズ選択画面の右側には、３つの目サイズ選択ボタン４８２−１乃至４８２−３が上から順に表示される。目サイズ選択ボタン４８２−１には、「ナチュラルｅｙｅ」という文字と、目のサイズが自然な大きさのモデルの目の画像とが表示されている。目サイズ選択ボタン４８２−２には、「パッチリｅｙｅ」という文字と、目のサイズが若干大きな（例えば、自然な大きさよりも１割程度大きな）モデルの目の画像とが表示されている。また、目サイズ選択ボタン４８２−２には、この大きさの目サイズを選択することが推奨されることを示唆する「おすすめ」の文字がハート形の図形とともに表示されている。
【０１７１】
  目サイズ選択ボタン４８２−３には、「ボリュームｅｙｅ」という文字と、目のサイズが比較的大きな（例えば、自然な大きさよりも２割程度大きな）モデルの目の画像とが表示されている。また、目サイズ選択ボタン４８２−１乃至４８２−３の右方には、上から下に向かう矢印が表示されるとともに、その矢印の上方に「natural」という文字が表示され、その矢印の下方に「big」という文字が表示されている。つまり、目サイズ選択ボタン４８２−１、目サイズ選択ボタン４８２−２、および目サイズ選択ボタン４８２−３の順に下に向かうにしたがって、目サイズが大きくなることを示唆している。
【０１７２】
  また、目サイズ選択画面の右下側には、目のサイズの選択を決定するときに操作される決定ボタン４８３が表示されており、決定ボタン４８３には、「決定」という文字が表示されている。
【０１７３】
  このような目サイズ選択画面がタッチパネルモニタ９３に表示され、利用者が、目サイ
ズ選択ボタン４８２−１乃至４８２−３のいずれかを選択すると、目サイズ決定処理部３１９は、利用者による選択を受け付ける。そして、目サイズ決定処理部３１９は、利用者により選択されたサイズの目が写されている画像になるように、撮影画像４８１−１乃至４８１−６の被写体の目のサイズを一括して変更する。
【０１７４】
  そして、利用者が、目のサイズの選択を行った後に決定ボタン４８３を選択すると、その時点で撮影画像４８１−１乃至４８１−６に反映されていた大きさで、被写体の目のサイズの選択が決定される。
【０１７５】
  図１５のフローチャートに戻り、ステップＳ６２において、利用者が、目サイズ選択画面の目サイズ選択ボタン４８２−１乃至４８２−３のいずれかに対する操作（タッチ）を行って目のサイズを選択すると、目サイズ決定処理部３１９は、タッチパネルモニタ９３から供給された情報に基づいて、利用者による選択を受け付ける。
【０１７６】
  ステップＳ６３において、目サイズ決定処理部３１９は、利用者により選択されたサイズの目が写っている画像になるように、全ての撮影画像４８１−１乃至４８１−６に写る利用者の目のサイズを一括して変更する。
【０１７７】
  ステップＳ６４において、目サイズ決定処理部３１９は、目のサイズを変更した撮影画像４８１−１乃至４８１−６をタッチパネルモニタ９３に表示し、目のサイズの変更結果を利用者に確認させる。
【０１７８】
  ステップＳ６５において、目サイズ決定処理部３１９は、決定ボタン４８３が押されたか否かをタッチパネルモニタ９３から供給された情報に基づいて判定し、押されていないと判定した場合、ステップＳ６２に戻り、以上の処理を繰り返す。
【０１７９】
  一方、決定ボタン４８３が押されたとステップＳ６５において判定した場合、ステップＳ６６において、目サイズ決定処理部３１９は、目のサイズを決定し、決定した目のサイズを表す情報を記憶部２０２などに記憶させて保存する。
　
（２）刊行物２の記載
　当審における拒絶の理由の通知において引用された特開２０１０−２６４２６６号公報（以下、「刊行物２」という。）には、図面と共に以下の事項が記載されている。
　
【００６４】
  その後、いずれの方式の場合も、画像処理条件を調整したり、画像を出力することができるが、ここでは、上記画像確認／出力画面２１を用いて処理を行う場合について説明する。例えば、画像表示欄２３に表示された画像がオペレータにとって所望の画像でない場合には、オペレータは、画像処理条件調整欄２４にて画像処理条件を微調整する（ステップＳ１２６）。ここで、従来は、表示された画像に対する画像処理条件を調整する場合には一旦画像処理条件調整用の画面に遷移し、この画像処理条件調整画面で画像処理の条件を調整する必要があったが、ここでは画像確認／出力画面２１に画像処理条件調整欄２３を設け、画面を遷移させることなく、画像の濃度やコントラストなどをボタンやスライドバーなどによって調整できるようにしている。なお、ここでは階調処理をとりあげ、調整可能な画像処理の例として濃度（最高濃度）とコントラスト（γカーブ）のパラメータ変更例を示しているが、これらに代えて又はこれらと共に、他の処理に係わるパラメータ調整、例えば、周波数処理における強調度等を調整可能としてもよい。また、図では画像確認／出力画面２１の右上に画像処理条件調整欄２４を設けているが、画像処理条件調整欄２４の構成や配置は任意であり、例えば、画像表示欄２３に画像が表示された後は画像処理条件調整欄２４と撮影部位選択欄２２の位置を変えるなど、使用状況に合わせて各々の欄のレイアウトを変更してもよい。
【００６５】
  このように調整後の画像処理条件に従って画像処理された画像データが即座に画像表示欄２３に表示されるため、オペレータは画像処理条件調整欄２４での調整操作を繰り返すことによって画像を確認しながら所望の画像を得ることができる（ステップＳ１２７）。
【００６６】
  なお、この画像処理条件の調整は、複数の画像に対して同時に調整を行うことが可能である。この場合、複数の画像を選択状態とし、前記画像処理条件調整部にて調整操作を行うことで、選択状態に設定された画像の画像処理条件には全て同じ変動量が加算され、変更後の画像処理条件で画像処理した画像が、画像表示欄２３に表示される。また、ある一つの画像が選択された状態で、処理パラメータ設定ボタンが押下されると、該選択された画像の画像処理時に使用された画像処理パラメータに更新（上書き）される。
【００６７】
  より具体的には、画像毎に直近の画像処理で使用した画像処理条件が記憶部に保持されており、処理パラメータ設定ボタン２４ａが押下されると、まず、記憶部１４に保持された画像処理条件を読み出し、該画像処理条件基づいて、該画像処理条件を決定するような画像処理パラメータの値を逆算する。次に、当該画像の画像処理時に参照された画像処理パラメータの識別番号を、記憶部から取得する。そして記憶部に記憶された該識別番号を持つ画像処理パラメータを、該画像処理条件から逆算される画像処理パラメータ値にて、上書きし、記憶する。
　
第４　刊行物に記載された発明
　以上の記載によれば、刊行物１には次の発明（以下、刊行物１発明という。）が記載されている。
　
４ａ．刊行物１の【０００２】、【０００３】記載によれば、刊行物１に記載された発明は、「利用者を撮影し、撮影画像に対して利用者に編集を行わせ、編集後の画像をシール紙に印刷して提供する写真シール機」に関する発明であるといえ、【０１１３】の記載によれば、上記写真シール機は、図１２のフローチャートを参照して説明されるものであって、上記フローチャートで説明される処理のステップを有する方法が開示されているといえるから、処理方法に関する発明であるといえる。
　したがって、刊行物１に記載された発明は「写真シール機の処理方法」に関する発明であるといえる。
　また、刊行物１の【０１１４】、【０１１５】の記載によれば、刊行物１に記載された写真シール機の処理方法は、撮影処理部を有し、撮影処理部は、撮影部を制御し、撮影空間にいる利用者を被写体として撮影する撮影処理を行う構成を有している。
　いいかえると、上記写真シール機の処理方法は、「利用者を被写体として撮影する撮影部を備えた写真シール機の処理方法」といえる。
　
４ｂ．刊行物１の【０１１４】、【０１１５】の記載によれば、刊行物１の写真シール機の処理方法は、撮影処理を行うステップを有しているといえる。
　
４ｃ．刊行物１の【０１１６】、【０１１７】の記載によれば、刊行物１の写真シール機の処理方法は、撮影処理を行った後、編集処理を行うステップを有している。
　
４ｄ．刊行物１の【０１１８】−【０１２１】の記載によれば、刊行物１の写真シール機の処理方法は、編集処理が終了した後、利用者により選択された画像をプリンタに出力してシール紙に印刷させ画像が印刷されたシール紙をシール紙排出口に排出し、処理を終了させるステップを有している。
　
４ｅ．刊行物１の【０１２２】、【０１５３】−【０１７９】の記載によれば、刊行物１の写真シール機の処理方法における撮影処理を行うステップは、具体的な構成として【０１５３】ないし【０１７９】にあるステップを有しているといえる。
　
４ｆ１．刊行物１の【０１５３】、【０１５４】の記載によれば、上記撮影処理を行うステップは、「撮影画像に写る被写体の明るさの選択に用いられる明るさ選択画面をタッチパネルモニタに表示させる」構成を有している。
　刊行物１の【０１５５】の記載によれば、上記明るさ選択画面は、撮影処理によって得られた撮影画像が、例としては６枚、画面の中央から左側に表示される。
　刊行物１の【０１５６】の記載によれば、上記明るさ選択画面の右側には、５つの明るさ選択ボタンが上から順に表示され明るさの異なるモデルがそれぞれ表示される。
　以上まとめると、上記撮影処理を行うステップは、「撮影処理によって得られた撮影画像が複数（例としては６枚）画面の中央から左側に表示され、画面の右側には、５つの明るさ選択ボタンが上から順に表示され明るさの異なるモデルがそれぞれ表示される、撮影画像に写る被写体の明るさの選択に用いられる明るさ選択画面をタッチパネルモニタに表示させるステップ」を有している。
　
４ｆ２．刊行物１の【０１６２】−【０１６６】の記載によれば、上記撮影処理を行うステップは、利用者が、明るさ選択画面の明るさ選択ボタンのいずれかに対する操作（タッチ）を行って被写体の明るさを選択すると、タッチパネルモニタ９３から供給された情報に基づいて、利用者による選択を受け付け、利用者により選択された明るさの被写体になるように、全ての撮影画像の被写体の明るさを一括して変更し、被写体の明るさを変更した撮影画像をタッチパネルモニタに表示し、明るさの変更結果を利用者に確認させ、決定ボタンが押された場合、被写体の明るさを決定し、決定した明るさを表す情報を記憶部などに記憶させて保存する、構成を有している。
　以上まとめると、上記撮影処理を行うステップは、
　利用者が、明るさ選択画面の明るさ選択ボタンのいずれかに対する操作（タッチ）を行って被写体の明るさを選択すると、タッチパネルモニタから供給された情報に基づいて、利用者による選択を受け付け、利用者により選択された明るさの被写体になるように、全ての撮影画像の被写体の明るさを一括して変更し、
　被写体の明るさを変更した撮影画像をタッチパネルモニタに表示するステップを有しているといえる。
　
４ｆ３．刊行物１の【０１６７】−【０１７２】の記載によれば、上記撮影処理を行うステップは、（４ｆ１．４ｆ２．の構成に加えて）「撮影画像に写る利用者の目のサイズの選択に用いられる目サイズ選択画面を、タッチパネルモニタに表示させる」構成を有している。
　刊行物１の【０１６９】の記載によれば、上記目サイズ選択画面は、撮影処理によって得られた撮影画像が、例としては６枚、画面の中央から左側に表示される。
　刊行物１の【０１７０】の記載によれば、上記目サイズ選択画面の右側には、３つの目サイズ選択ボタンが上から順に表示され、目サイズの大きさが異なるモデルの目がそれぞれ表示される。
　以上まとめると、上記撮影処理を行うステップは、「撮影処理によって得られた撮影画像が複数（例としては６枚）画面の中央から左側に表示され、画面の右側には、３つの目サイズ選択ボタンが上から順に表示され、目サイズの大きさが異なるモデルの目がそれぞれ表示される、撮影画像に写る被写体の目のサイズの選択に用いられる目サイズ選択画面をタッチパネルモニタに表示させるステップ」を有している。
　
４ｆ４．刊行物１の【０１７５】−【０１７９】の記載によれば、上記撮影処理を行うステップは、利用者が、目サイズ選択画面の目サイズ選択ボタンのいずれかに対する操作（タッチ）を行って目のサイズを選択すると、目サイズ決定処理部は、タッチパネルモニタから供給された情報に基づいて、利用者による選択を受け付け、利用者により選択されたサイズの目が写っている画像になるように、全ての撮影画像に写る利用者の目のサイズを一括して変更し、目のサイズを変更した撮影画像をタッチパネルモニタに表示し、目のサイズの変更結果を利用者に確認させ、決定ボタンが押された場合、目のサイズを決定し、決定した目のサイズを表す情報を記憶部などに記憶させて保存する、構成を有している。
　　以上まとめると、上記撮影処理を行うステップは、
　利用者が、目サイズ選択画面の目サイズ選択ボタンのいずれかに対する操作（タッチ）を行って目のサイズを選択すると、タッチパネルモニタから供給された情報に基づいて、利用者による選択を受け付け、利用者により選択されたサイズの目が写っている画像になるように、全ての撮影画像に写る利用者の目のサイズを一括して変更し、
　目のサイズを変更した撮影画像をタッチパネルモニタに表示するステップを有しているといえる。
　
４ｇ．まとめ
　以上まとめると、刊行物１発明として、以下のとおりのものを認定することができる。
　
利用者を被写体として撮影する撮影部を備えた写真シール機の処理方法において
撮影処理を行い、
　上記撮影処理は、以下のi)ないしvi)の処理を含み、
　　i)撮影処理によって得られた撮影画像が複数（例としては６枚）画面の中央から左側に表示され、画面の右側には、５つの明るさ選択ボタンが上から順に表示され明るさの異なるモデルがそれぞれ表示される、撮影画像に写る被写体の明るさの選択に用いられる明るさ選択画面をタッチパネルモニタに表示させ、
　 ii)利用者が、明るさ選択画面の明るさ選択ボタンのいずれかに対する操作（タッチ）を行って被写体の明るさを選択すると、タッチパネルモニタから供給された情報に基づいて、利用者による選択を受け付け、利用者により選択された明るさの被写体になるように、全ての撮影画像の被写体の明るさを一括して変更し、
　　iii)被写体の明るさを変更した撮影画像をタッチパネルモニタに表示し、
　　iv)撮影処理によって得られた撮影画像が複数（例としては６枚）画面の中央から左側に表示され、画面の右側には、３つの目サイズ選択ボタンが上から順に表示され、目サイズの大きさが異なるモデルの目がそれぞれ表示される、撮影画像に写る被写体の目のサイズの選択に用いられる目サイズ選択画面をタッチパネルモニタに表示させ、
　　v)利用者が、目サイズ選択画面の目サイズ選択ボタンのいずれかに対する操作（タッチ）を行って目のサイズを選択すると、タッチパネルモニタから供給された情報に基づいて、利用者による選択を受け付け、利用者により選択されたサイズの目が写っている画像になるように、全ての撮影画像に写る利用者の目のサイズを一括して変更し、
　　vi)目のサイズを変更した撮影画像をタッチパネルモニタに表示し、
撮影処理を行った後、編集処理を行い、
編集処理が終了した後、利用者により選択された画像をプリンタに出力してシール紙に印刷させ画像が印刷されたシール紙をシール紙排出口に排出し、処理を終了させる
ステップを含む写真シール機の処理方法。
　
第５　対比
　本願発明と刊行物１発明とを対比する。
　
５ａ．刊行物１発明の「利用者を被写体として撮影する撮影部を備えた写真シール機の処理方法」は、本願発明の「利用者を撮影する撮影部を備える写真シール機の処理方法」と相違がない。
　
５ｂ．刊行物１発明の撮影処理に含まれる「i)撮影処理によって得られた撮影画像が複数（例としては６枚）画面の中央から左側に表示され、画面の右側には、５つの明るさ選択ボタンが上から順に表示され明るさの異なるモデルがそれぞれ表示される、撮影画像に写る被写体の明るさの選択に用いられる明るさ選択画面をタッチパネルモニタに表示させ」るステップのタッチパネルモニタには、撮影画像が複数（例としては６枚）画面の中央から左側に表示される領域（第１の領域と称してもよいことは明らかである。）と、５つの明るさ選択ボタンが上から順に表示される領域（第２の領域と称してもよいことは明らかである。）とが表示（利用者に提示）されている。
　上記撮影画像は、上記５ａ．の撮影部が撮影した画像であることは明らかであり、上記明るさ選択ボタンは、「利用者が、明るさ選択画面の明るさ選択ボタンのいずれかに対する操作（タッチ）を行って被写体の明るさを選択すると、タッチパネルモニタから供給された情報に基づいて、利用者による選択を受け付け、利用者により選択された明るさの被写体になるように、全ての撮影画像の被写体の明るさを一括して変更」するためのものであるから、撮影画像の明るさを変更、すなわち、撮影した画像に対して画像処理を施す指示を出すためのボタンといえ、一つの明るさを選択させるための領域であり、明るさを選択させる（という画像処理の）ために複数のボタンを表示する領域を含む画面を利用者に提示しているといえる。
　したがって、刊行物１の撮影処理に含まれる上記ステップは、「前記撮影部による撮影の結果、得られる複数の撮影画像を表示する第１の領域と、画像処理を施す指示を出すための領域であり、かつ、選択をさせるための領域であり、前記画像処理のために複数のボタンを表示する第２の領域を含む画面を前記利用者に提示し」ている点で、本願発明と相違がない。
　もっとも、本願発明では、上記「画像処理」は、「２つ以上の複数の種類の画像処理」であり、「選択をさせるための領域」は、「少なくとも２つ以上の選択をさせるための領域」であり、「前記画像処理のために複数のボタンを表示する」は、「前記画像処理毎に複数のボタンを表示する」構成であるのに対し、
　刊行物１発明では、上記「画像処理」は、「（明るさ処理という）１つの種類の画像処理」であり、「選択をさせるための領域」は、「（明るさ処理という）１つの選択をさせるための領域」であり、「前記画像処理のために複数のボタンを表示する」は、「前記画像処理のために複数のボタンを表示する」構成である点で相違する。
　
５ｃ．刊行物１発明では、「ii)利用者が、明るさ選択画面の明るさ選択ボタンのいずれかに対する操作（タッチ）を行って被写体の明るさを選択すると、タッチパネルモニタから供給された情報に基づいて、利用者による選択を受け付け、利用者により選択された明るさの被写体になるように、全ての撮影画像の被写体の明るさを一括して変更し」ている。
　上記刊行物１発明の「撮影画像の被写体の明るさを一括して変更」は、上記５ｂ．の「撮影処理によって得られた撮影画像が複数（例としては６枚）画面の中央から左側に表示され」の表示された複数の撮影画像であるから、撮影画像の全てに対して明るさを変更する画像処理を行っているといえる。
　上記５ｂ．で検討したように、刊行物１発明の「撮影画像が複数（例としては６枚）画面の中央から左側に表示される領域」、「明るさ選択画面の明るさ選択ボタン」は、本願発明の「第１の領域」、「前記第２の領域内のボタン」といえるものであるから、刊行物１発明は、「前記第２の領域内のボタンが操作される毎に、指示された変更に係わる画像処理を、前記第１の領域に表示されている撮影画像に施し」ている点で本願発明と相違がない。
　もっとも、本願発明では、画像処理に関して、「前記第１の領域に表示されている複数の撮影画像のうち、画像処理を施すとして選択されている１枚の撮影画像のみに施し」ているのに対し、刊行物１発明では、「前記第１の領域に表示されている複数の撮影画像の全ての撮影画像に施し」ている点で相違する。
　
５ｄ．刊行物１発明では「iii)被写体の明るさを変更した撮影画像をタッチパネルモニタに表示し」ている。
　刊行物１発明の「撮影画像が複数（例としては６枚）画面の中央から左側に表示される領域」が、本願発明の「第１の領域」に相当することは、上記ｂ．のとおりであり、刊行物１発明において「被写体の明るさを変更した撮影画像」は、本願発明の、第１の領域内の画像であって、上記５ｃ．で変更処理を施した画像であるといえるから、刊行物１発明は、「前記第１の領域内の撮影画像を、前記変更処理部により変更が施された変更後の撮影画像に切り換える表示を制御し」ている点で本願発明と相違がない。
　もっとも、本願発明では「前記第１の領域内の前記選択されている１枚の撮影画像を」変更後の撮影画像に切り換えるのに対し、刊行物１発明では、「前記第１の領域内のすべての撮影画像を」変更後の撮影画像に切り換える点で相違する。
　
５ｅ．刊行物１発明は、「撮影処理を行った後、編集処理を行い、
編集処理が終了した後、利用者により選択された画像をプリンタに出力してシール紙に印刷させ画像が印刷されたシール紙をシール紙排出口に排出し、処理を終了させる」構成を有している。
　刊行物１発明の「撮影処理を行った後、編集処理を行い、編集処理が終了した」画像は、撮影処理における明るさ処理が、本願発明の変更を施すことに対応するから、変更が施された画像といえる。
　刊行物１発明の「シール紙をシール紙排出口に排出」すれば、上記排出されたシールは写真シールとして、利用者に提供されることは明らかである。
　したがって、刊行物１発明は、本願発明の「変更が施された前記撮影画像を所定のシール紙に印刷し、印刷された前記シール紙を排出し、写真シールとして前記利用者に提供する」ステップを有している。
　
５ｆ．まとめ（一致点・相違点）
　以上まとめると、補正後発明と刊行物１発明とは以下の一致点で一致し相違点で相違する。
（一致点）
　利用者を撮影する撮影部を備える写真シール機の処理方法において、
　前記撮影部による撮影の結果、得られる複数の撮影画像を表示する第１の領域と、画像処理を施す指示を出すための領域であり、かつ、選択をさせるための領域であり、前記画像処理のために複数のボタンを表示する第２の領域を含む画面を前記利用者に提示し、
　前記第２の領域内のボタンが操作される毎に、指示された変更に係わる画像処理を、前記第１の領域に表示されている撮影画像に施し、
　前記第１の領域内の撮影画像を、前記変更処理部により変更が施された変更後の撮影画像に切り換える表示を制御し、
　変更が施された前記撮影画像を所定のシール紙に印刷し、印刷された前記シール紙を排出し、写真シールとして前記利用者に提供する
　ステップを含む写真シール機の処理方法。
　
（相違点１）
　本願発明では、上記「画像処理」は、「２つ以上の複数の種類の画像処理」であり、「選択をさせるための領域」は、「少なくとも２つ以上の選択をさせるための領域」であり、「前記画像処理のために複数のボタンを表示する」は、「前記画像処理毎に複数のボタンを表示する」構成であるのに対し、
　刊行物１発明では、上記「画像処理」は、「（明るさ処理という）１つの種類の画像処理」であり、「選択をさせるための領域」は、「（明るさ処理という）１つの選択をさせるための領域」であり、「前記画像処理のために複数のボタンを表示する」は、「前記画像処理のために複数のボタンを表示する」構成である点。
　
（相違点２）
　本願発明では、画像処理に関して、「前記第１の領域に表示されている複数の撮影画像のうち、画像処理を施すとして選択されている１枚の撮影画像のみに施し」ているのに対し、刊行物１発明では、「前記第１の領域に表示されている複数の撮影画像の全ての撮影画像に施し」ている点。
　
（相違点３）
　本願発明では「前記第１の領域内の前記選択されている１枚の撮影画像を」変更後の撮影画像に切り換えるのに対し、刊行物１発明では、「前記第１の領域内のすべての撮影画像を」変更後の撮影画像に切り換える点。
　
第６　判断
６ａ．相違点１について
　刊行物１発明は、上記第５で対比した以外に、目サイズ変更に関する処理も有している。
　上記目サイズ変更処理は、上記第５で対比した明るさ変更に関する処理と対比して、その画像処理の内容が、明るさ変更に関する処理と目サイズ変更に関する処理とで異なるのみで、表示手段に表示する態様（複数の変更のためのボタンを表示すること）、変更内容の選択の態様（上記複数表示されたボタンから一つを選択すること）、変更後の処理の態様（選択されたボタンに対応する処理を撮影画像全てに対して行い、変更後の画像を表示すること）は共通であり、これらの処理を一括して行っても、支障がなことは当業者であれば当然予測し得たことである。
　そして、一般的な画像処理において、複数の画像処理を同時に行おうとすることは、上記刊行物２（【００６４】等）に「濃度（最高濃度）とコントラスト（γカーブ）のパラメータ変更」を同時に行う構成が開示され、さらに、「濃度（最高濃度）とコントラスト（γカーブ）のパラメータ変更例を示しているが、これらに代えて又はこれらと共に、他の処理に係わるパラメータ調整、例えば、周波数処理における強調度等を調整可能としてもよい。」との記載があるように、当業者が普通に考慮することであるから、刊行物１発明において、明るさ変更処理に加えて目サイズ変更も同時に行えるように、上記相違点１の構成を採用することは、当業者が容易になしえたことであるといえる。
　
６ｂ．相違点２、相違点３について
　上記相違点は、結局、選択された画像処理を、第１の領域に表示されている撮影画像のうち選択された１枚の画像に対して行うか、（上記選択を行わず）全ての画像に対して行うか、で異なるというものである。
　この点上記刊行物２の【００６６】に「この画像処理条件の調整は、複数の画像に対して同時に調整を行うことが可能である。この場合、複数の画像を選択状態とし、前記画像処理条件調整部にて調整操作を行うことで、選択状態に設定された画像の画像処理条件には全て同じ変動量が加算され、変更後の画像処理条件で画像処理した画像が、画像表示欄２３に表示される。また、ある一つの画像が選択された状態で、処理パラメータ設定ボタンが押下されると、該選択された画像の画像処理時に使用された画像処理パラメータに更新（上書き）される。」とあるように、複数表示された撮影画像に対して画像処理を行う際、上記複数表示された撮影画像から、１枚の画像を選択して画像処理を行うか、（上記選択を行わず）全ての画像に対して行うかは当業者が適宜採用し得たことであるといえ、刊行物１発明に、上記相違点２、相違点３の構成を採用することは当業者が適宜なしえたことである。
　
　以上のように、上記各相違点は、当業者が容易に想到し得たものと認められ、本願発明全体としてみても格別のものはなく、その作用効果も、上記各相違点に係る構成の採用に伴って当然に予測される程度のものにすぎず、格別顕著なものがあるとは認められない。　
　
第７　むすび
　以上のとおり、本願発明は、刊行物１、刊行物２に記載された発明に基づいて、当業者が容易に発明をすることができたものであるから、特許法第２９条第２項の規定により特許を受けることができない。
　したがって、残る請求項１ないし請求項５、請求項７に係る発明について検討するまでもなく、本願は拒絶すべきものである。
　よって、結論のとおり審決する。